(57)【要約】【課題】  写真フィルムを巻き取り収容する収容空間部を形成するにあたり、構成を簡素化すると共に写真フィルムをスムーズに巻き取ることが可能なフィルム搬送ユニットを提供すること。【解決手段】  帯状の写真フィルムを搬送経路に沿って搬送する搬送ローラと、搬送経路の途上に設けられ、写真フィルムの画像読み取りを行うための処理用開口部４４，６４と、搬送経路に沿って搬送される写真フィルムを巻き取り収容する収容空間部とを備え、この収容空間部は、挿入されてきた写真フィルムの面が摺接して案内される環状の内周面と、この内周面のフィルム幅方向両側に形成される一対の開口を閉塞する閉塞板８１２および扉体８１３とにより包囲され、収容空間部は、写真フィルムの幅方向視で、垂直方向の寸法が水平方向の寸法よりも長い縦長長円状に形成されている。【選択図】図５
2005221971.tif 000002
【特許請求の範囲】
【請求項１】
帯状の写真フィルムを搬送経路に沿って搬送する搬送機構と、
搬送経路の途上に設けられ、写真フィルムに対する処理を行うための処理用開口部と、
搬送経路に沿って搬送される写真フィルムを巻き取り収容する収容空間部とを備え、
この収容空間部は、挿入されてきた写真フィルムの面が摺接して案内される環状の内周面と、
この内周面のフィルム幅方向両側に形成される一対の開口を閉塞する一対の閉塞面とにより包囲され、
前記収容空間部は、写真フィルムの幅方向視で、垂直方向の寸法が水平方向の寸法よりも長い縦長長円状に形成されていることを特徴とするフィルム搬送ユニット。
【請求項２】
写真フィルムが収容空間部に挿入されてくる方向は、前記縦長長円の上部頂点における接線方向となるように設定されていることを特徴とする請求項１に記載のフィルム搬送ユニット。
【請求項３】
一対の閉塞面のうちの一方の閉塞面側に、収容空間部を開放可能にするための扉体を設けたことを特徴とする請求項１又は２に記載のフィルム搬送ユニット。
【請求項４】
前記扉体を閉塞方向に付勢するための付勢手段が設けられていることを特徴とする請求項３に記載のフィルム搬送ユニット。
【請求項５】
収容空間部の底部に塵埃排出孔を形成したことを特徴とする請求項１〜４のいずれか１項に記載のフィルム搬送ユニット。
【請求項６】
前記塵埃排出孔のフィルム幅方向における長さは、写真フィルムの幅寸法よりも小さくなるように設定されていることを特徴とする請求項５に記載のフィルム搬送ユニット。
【請求項７】
前記塵埃排出孔は、すり鉢状に形成されていることを特徴とする請求項５又は６に記載のフィルム搬送ユニット。
【発明の詳細な説明】
【技術分野】
【０００１】
本発明は、帯状の写真フィルムを搬送経路に沿って搬送する搬送機構と、写真フィルムに対する処理を行うための処理用開口部と、搬送経路に沿って搬送される写真フィルムを巻き取り収容する収容空間部とを備えたフィルム搬送ユニットに関するものである。
【背景技術】
【０００２】
かかるフィルム搬送ユニットは、現像済み写真フィルムに形成されているコマ画像を読み取るために設けられる。また、現像済み写真フィルムのコマ画像を写真感光材料に投影露光するためにも用いられる。ここでＡＰＳフィルムのコマ画像を読み取る場合の動作の一例を説明する。現像済み写真フィルムは、カートリッジと呼ばれるフィルム容器に収容されており、このカートリッジをフィルム搬送ユニットのカートリッジ装填部に装填する。次に、カートリッジから帯状の写真フィルムを順次引き出し搬送させると、写真フィルムは所定の搬送経路に沿って搬送される。この搬送経路の途上に開口部が設けられており、この開口部を通じて写真フィルムの画像を読み取る。この往路搬送路における読み取りはプレスキャニングと呼ばれ、粗い画素数で画像を読み取る。このとき読み取られた画像データは、モニター画面に表示させてオペレータによる画像処理作業を行わせるために利用される。従って、読み取り解像度は高くなくても良い。写真フィルムは、一定速度で搬送されつつ、プレスキャニングが行われ、さらに、写真フィルムは搬送経路の下流側に設けられた巻き取り用の収容空間部にロール状に収容されていく。
【０００３】
このように写真フィルムはプレスキャニングが行われながら収容空間部に巻き取られていくが、プレスキャニングが終了すると、写真フィルムを搬送経路に沿って逆方向に搬送させる。今度も、開口部を通じて写真フィルムの画像を読み取るが、この復路における読み取りは本スキャニングであり、プレスキャニングとは異なり高解像度での画像データを取得する。この高解像度の画像データを用いて写真プリントの作成が行われる。また、写真プリントの作成にあたり、画像処理作業で入力された色・濃度の補正も行われ、適切な画質の写真プリントが作成される。本スキャニングが終了した写真フィルムは、再び、カートリッジに収容されることになる。
【０００４】
以上のように、フィルム搬送ユニットには、収容空間部が設けられており、帯状の写真フィルムを収容するために、写真フィルムがスムーズに収容できるような構成が必要とされる。巻き取り収容する場合に、巻き取るための駆動力を付与することで強制的に巻き取り収容していく構成が一般的ではあるが、そのための駆動機構が複雑となり、コストアップになる。そこで、搬送経路に沿って搬送される写真フィルムの搬送力を利用して、収容空間部に押し込んでいく形態の収容方式も知られている。
【０００５】
例えば、下記特許文献１に開示されるフィルム搬送装置が知られている。これはフィルム巻き取り部に円筒状の空間を形成し、写真フィルムをその搬送力によって収容空間部に送り込んでいく。巻き取り部には、スプールもなく構成が簡素化されてコストダウンを図ることができる。その一方で、円筒状の空間に単に搬送力のみで写真フィルムを押し込んでいこうとすると、写真フィルムの長手方向の長さやカールの状態によっては、押し込み力を必要とし、スムーズに収容空間部に巻き取ることが困難になることが考えられる。そこで、収容空間部の内周面にローラを配置することで負荷を低減する構成も考えられている（例えば、特許文献１の図４や特許文献２）しかしながら、ローラを多数配置すれば、部品点数が増大するため、コストダウンという点では不十分な面がある。
【０００６】
さらに、下記特許文献３に開示されるフィルム収容部も知られている。このフィルム収容部は、フィルムの巻き癖により写真フィルムを巻回させた状態で収容するようにしたものである。フィルム収容部は、横長の長円形状を有しており、フィルムが搬送される方向に沿った長さが長くなるような長円形状を有している。これにより、内周面にローラを配置することなく、写真フィルムをスムーズに巻き取るように構成している。ただし、特許文献３では写真フィルムが搬送される場合の姿勢が通常とは異なっており、フィルム面が垂直姿勢になる状態で搬送されている。一般的には、写真フィルムはそのフィルム面が水平状態で搬送されるため、特許文献３に開示される収容空間部の構成を、フィルム面が水平に設定されたフィルム搬送ユニットに適用できるものと言うことはできない。
【特許文献１】特開平７−２０９６８３号公報（図１、図２、図４）
【特許文献２】特開２００１−２６１２００号公報（図１、図２）
【特許文献３】特開２００２−１８９２５９号公報（図６、図７、図８）
【発明の開示】
【発明が解決しようとする課題】
【０００７】
本発明は上記実情に鑑みてなされたものであり、その課題は、写真フィルムを巻き取り収容する収容空間部を形成するにあたり、構成を簡素化すると共に写真フィルムをスムーズに巻き取ることが可能なフィルム搬送ユニットを提供することである。
【課題を解決するための手段】
【０００８】
上記課題を解決するため本発明に係るフィルム搬送ユニットは、
帯状の写真フィルムを搬送経路に沿って搬送する搬送機構と、
搬送経路の途上に設けられ、写真フィルムに対する処理を行うための処理用開口部と、
搬送経路に沿って搬送される写真フィルムを巻き取り収容する収容空間部とを備え、
この収容空間部は、挿入されてきた写真フィルムの面が摺接して案内される環状の内周面と、
この内周面のフィルム幅方向両側に形成される一対の開口を閉塞する一対の閉塞面とにより包囲され、
前記収容空間部は、写真フィルムの幅方向視で、垂直方向の寸法が水平方向の寸法よりも長い縦長長円状に形成されていることを特徴とするものである。
【０００９】
この構成によるフィルム搬送ユニットの作用・効果を説明する。このユニットは、写真フィルムを搬送経路に沿って搬送させるための搬送機構を備えており、搬送経路の途上には処理用開口部が設けられている。従って、写真フィルムを搬送経路に沿って搬送しつつ、処理（写真フィルムの画像読み取りや画像の焼付露光）が行われる。処理用開口部を通過した写真フィルムは、搬送経路の下流側に設けられた収容空間部に順次巻き取られていく。この収容空間部は、垂直方向の寸法が水平方向の寸法よりも長い縦長長円に形成されている。収容空間部に挿入されて来た写真フィルムは、内周面に沿って巻回し、自重によって底部に垂れ下がっていく。従って、スムーズに写真フィルムが押し込まれていく。写真フィルムは、順次渦状に巻き取られていくが、図１０に示すように縦長長円に形成されているので、空間部の上方にスペースが形成される。この部分は、写真フィルムが内周面に摺接しない。従って、写真フィルムが挿入されて行くときの摺接（摩擦）抵抗を減らすことができる。すなわち、内周面にローラを配置しなくても、スムーズに写真フィルムを巻き取ることが可能である。その結果、写真フィルムを巻き取り収容する収容空間部を形成するにあたり、構成を簡素化すると共に写真フィルムをスムーズに巻き取ることが可能なフィルム搬送ユニットを提供することができる。
【００１０】
本発明において、写真フィルムが収容空間部に挿入されてくる方向は、前記縦長長円の上部頂点における接線方向となるように設定されていることが好ましい。
【００１１】
かかる方向に設定することで、写真フィルムをスムーズに挿入していくことができ、無駄な抵抗力を生じさせることがない（図１０参照）。
【００１２】
本発明において、一対の閉塞面のうちの一方の閉塞面側に、収容空間部を開放可能にするための扉体を設けたことが好ましい。
【００１３】
扉体を設けることで、収容空間部内で写真フィルムのジャム等の巻き取り不具合が発生した場合に、メンテナンスを容易に行うことができる。例えば、収容空間部からの写真フィルムの取り出しを容易に行うことができ、写真フィルムに不用意に傷を生じさせることを防止できる。
【００１４】
本発明に係る扉体を閉塞方向に付勢するための付勢手段が設けられていることが好ましい。扉体を設ける場合、扉体を閉め忘れることがありうる。仮に、扉体を閉め忘れた状態で写真フィルムを収容空間部に巻き取った場合、扉体が開いた開口部から写真フィルムがはみ出てしまい、写真フィルムのジャミングや破損が生じることがある。そこで、扉体を閉塞方向に付勢する付勢手段を設ける。これにより、扉体を閉め忘れるという問題をなくすことができる。
【００１５】
本発明において、収容空間部の底部に塵埃排出孔を形成することが好ましい。収容空間部における写真フィルムの収容性を確保するには、収容空間部を密閉状態に形成する必要がある。一方、写真フィルムには塵埃が付着していることがあり、また、空気中に浮遊する塵埃が写真フィルムの収容・排出を繰り返している間に、収容空間部の中に溜まってくる。このような塵埃が再度写真フィルムに付着したりすると、スキャニング画像の画質を劣化させる原因となる。また、塵埃と写真フィルムとがこすれてしまい、写真フィルムに傷を生じさせることにもなる。そこで、収容空間部の底部に塵埃排出孔を設けることで、容易に塵埃を収容空間部の外に排出することができる。
【００１６】
本発明において、前記塵埃排出孔のフィルム幅方向における長さは、写真フィルムの幅寸法よりも小さくなるように設定されていることが好ましい。
【００１７】
塵埃排出孔の幅寸法を写真フィルムの幅寸法よりも小さくすることで、写真フィルムが巻き取られていくときの動作に支障を与えなくてもすむ。
【００１８】
本発明に係る塵埃排出孔は、すり鉢状に形成されていることが好ましい。これにより、収容空間部内の塵埃を排出し易くすることができる。
【発明を実施するための最良の形態】
【００１９】
本発明に係るフィルム搬送ユニットの好適な実施形態を図面を用いて説明する。図１は、フィルム搬送ユニットが用いられる写真処理システムの構成を示す模式図である。
【００２０】
＜写真処理システムの構成＞
図１は、現像済み写真フィルムに形成されているコマ画像を読み取りデジタルデータ化し、デジタル露光操作方式でペーパー（写真感光材料）に画像を焼付露光して写真プリントを作成する写真処理システムであり、画像読取装置１（フイルムスキャナー）とプリンタプロセッサーＰＲを備えている。画像読取装置１は、図１に示すように照明光学系２と、撮像光学系３と、フィルムキャリア４（フィルム搬送ユニット）とを備えている。
【００２１】
照明光学系２は、フィルムキャリア４内を搬送経路に沿って搬送される写真フィルム（ネガフィルムやポジフィルム）に対して光を照射するために設けられる。照明光学系２は、光源部５と、調光フィルター６と、ミラートンネル７とを備えている。光源部５は、例えば、ハロゲンランプであり、赤（Ｒ）緑（Ｇ）青（Ｂ）の３色の夫々に対応する波長領域の光が含まれている。調光フィルター６は、光源部５からの放射光の色分布を必要に応じて整えるためのものである。従って、光源部５から照射される光は、調光フィルター６とミラートンネル７によって、その色分布や強度分布が調整された後に、写真フィルムＦに照射される。
【００２２】
撮像光学系３は、ズームレンズを含むレンズユニット８と、写真フィルムＦを通過した光を受光するＣＣＤラインセンサー９（以下、ＣＣＤセンサーと省略）を備えている。レンズユニット８は、写真フィルムＦを通過した光をＣＣＤセンサー９上に結像させるために設けられる。なお、図１では、レンズユニット８として１枚のレンズのみが図示されているが、複数のレンズで構成されていても良い。
【００２３】
ＣＣＤセンサー９は、写真フィルムＦの搬送方向（図１の矢印方向であり副走査方向に相当）に直交する方向（主走査方向に相当）に沿って配置されたライン状のセンサーである。ここでＣＣＤセンサー９は、主走査方向つまり写真フィルムＦの幅方向と平行に配列される多数の画素（ピクセル）を有している。ＣＣＤセンサー９は、カラー画像データを取得するために、副走査方向上流側から下流側に沿って互いに所定間隔だけ離間して配置された３つのラインセンサー９ａ，９ｂ，９ｃを備えている。
【００２４】
各ラインセンサー９ａ，９ｂ，９ｃの各撮像面には、Ｒ，Ｇ，Ｂの色分解フィルターのいずれかが夫々取り付けられており、Ｒ，Ｇ，Ｂの各色に対応するように割り当てられている。つまり、赤色に対応するラインセンサー９ａの撮像面には写真フィルムＦを透過した光の赤色成分のみを通過させるカラーフィルタが、これと同様に、緑色に対応するラインセンサー９ｂの撮像面には緑色成分のみを通過させるカラーフィルタが、青色に対応するラインセンサー９ｃの撮像面には青色成分のみを通過させるカラーフィルタが取り付けられている。
【００２５】
データ処理部１０は、各ラインセンサー９ａ，９ｂ，９ｃの画素から出力される各画素信号をサンプルホールドすることにより、各画素信号を連続した画像信号にするとともに、この各画素信号を所定のビット数のデジタル信号に変換した後に、画像処理部１１に送出する。また、画像処理部１１では、オペレータにより入力された色・濃度の補正データに基づいた画像処理や、写真プリント作成のために必要とされる種々の画像補正処理を実行する機能を有する。画像処理部１１で画像処理が施されたコマ画像の画像データは、露光エンジン１３に転送される。
【００２６】
次に、プリンタプロセッサーＰＲの構成を説明する。ペーパーマガジンＭ１，Ｍ２には、写真感光材料であるペーパーがロールの形態で収容されている。いずれか一方のペーパーマガジンＭ１．Ｍ２から長尺状のペーパーが引き出されていき、搬送経路途上に設けられたペーパーカッター１４によりプリントサイズにカットされる。振り分け搬送機構１５により、ペーパーは１列から複列に搬送状態が切り替えられる。
【００２７】
露光エンジン１３は、画像処理部１１から転送されてきた画像データに基づいて、ペーパーに画像を焼付露光する。露光エンジン１３は、レーザーエンジン、ＰＬＺＴエンジン等の種々の構造のものを採用することができる。画像が焼付露光されたペーパーは、搬送機構１６により搬送されて現像処理部１７に送り込まれる。現像処理部１７にて現像処理が施され、乾燥処理部１８で乾燥処理が施された後、ペーパー排出部１９から仕上がりの写真プリントが装置外部に排出される。
【００２８】
＜フィルムキャリア（フィルム搬送ユニット）の構成＞
次に、フィルムキャリア４の構成を説明する。画像読取装置１は、現像済み写真フィルムに形成されたコマ画像を読み取るために設けられており、フィルムキャリア４は、そのための写真フィルムを搬送させる機能を備えている。フィルムキャリア４は、いわゆる１３５タイプの写真フィルム（３５ｍｍフィルムロールとも言い、以下、１３５フィルムと称する）と、いわゆるＡＰＳによる写真フィルム（以下、２４０フィルムと称する）の両方を取り扱うことができる。フィルムキャリア４の構成は図２の斜視図及び図３の平面図に示される。図２，３は、上部本体３２を閉じた状態である。
【００２９】
図２，３に示されるように、２４０フィルムを搬送させるための第１搬送経路Ｒ１（搬送レーン）と１３５フィルムを搬送させるための第２搬送経路Ｒ２とが横並びで平行に配置されている。２４０フィルムは、カートリッジに収容されているので、そのカートリッジを装填するための装填部２０が設けられている。１３５フィルムは、容器には収容されていないので、帯状の１３５フィルムをそのまま挿入するためのフィルム挿入部２１が設けられている。
【００３０】
装填部２０は、２４０フィルムのカートリッジを保持するホルダー部２２と、このホルダー部２２に保持されたカートリッジのスプール軸を回転させる駆動部３０と、ホルダー部２２に保持された２４０フィルムのスプール軸を支持する支持部２３とで構成されている。ホルダー部２２は、２４０フィルムのカートリッジを挿入するホルダー本体２２ａと、このホルダー本体２２ａをフィルム搬送部２４に取り付けるための取り付け部材２２ｂとで構成されている。
【００３１】
ホルダー本体２２ａは、外周径状が２４０フィルムのカートリッジの端面形状と略相似した形状に設定されてドーナツ状に形成されたベース部２２０と、このベース部２２０の外周方向に所定間隔を有し、ベース部２２０の外周縁部から中心線方向に突出した複数の保持片２２１とで構成される。複数の保持片２２１は、先端側に２４０フィルムのカートリッジを装填する装填口２５を形成しており、この保持片２２１で包囲される領域内に２４０フィルムのカートリッジを軸芯方向に挿入可能にしている。また、複数の保持片２２１は、２４０フィルムのカートリッジを装填した状態で、カートリッジのシャッター部（フィルムを引き出す引出し口）が複数の保持片２２１の間に来るように配置され、２４０フィルムの引出しが可能となるように配置されている。
【００３２】
取り付け部材２２ｂは、後述する下部本体３１に着脱可能に構成されており、ホルダー本体２２ａのベース部２２０が蝶着されている。ホルダー本体２２ａと取り付け部材２２ｂとを蝶着した軸体２６には、ねじりコイルバネ（不図示）が装着されており、ホルダー本体２２ａが軸体２６回りに付勢されている。
【００３３】
ホルダー部２２は、装填したカートリッジのシャッター部が第１搬送経路Ｒ１側となるように、取り付け部材２２ｂがフィルム搬送部２４に取り付けられ、この状態でホルダー本体２２ａは、装填されたカートリッジ内のスプール軸が横臥せ状態となるフィルム引出し姿勢と、装填口２５が上方に向く装填姿勢との間で姿勢変更可能となっている。ホルダー部２２は、フィルム引出し姿勢において、第１搬送経路Ｒ１の第１搬送挿入口と、カートリッジのシャッター部とが対向し、カートリッジから２４０フィルムを引き出して第１搬送経路Ｒ１に挿入できるようにしている。一方、装填姿勢においては、装填口２５が上方に向き、２４０フィルムのカートリッジの装填及び取り出しを行うことができる。
【００３４】
前記駆動部３０は、フィルム搬送部２４に連結されるベース体３０ａと、駆動源である電動モータ３０ｃと、この駆動モータ３０ｃの回転を減速する減速機構３０ｂとを備えている。このベース体３０ａは、フィルム搬送部２４の下面に取り付けられており、ベース体３０ａには、電動モータ３０ｃ及び減速機構３０ｂが取り付けられる。この減速機構３０ｂの出力軸（不図示）は、一端部がホルダー本体２２ａに向けて突出するように設けられており、ホルダー本体部２２ａのベース部２２０の孔を介し、装填姿勢からフィルム引出し姿勢になったカートリッジ内のスプール軸の一端部と係合して電動モータ３０ｃの駆動がスプール軸に伝達されるようになっている。なお、電動モータ３０ｃは、減速機構３０ｂを介してフィルム搬送部２４の駆動も担っている。
【００３５】
支持部２３は、スプール軸の他端部を支持する回転自在な支持軸２３ａを備えている。具体的には、支持部２３は、２４０フィルムにおけるカートリッジのシャッター部を開閉する開閉機構を備えている。この開閉機構は、電動モータ２３ｂと、電動モータ２３ｂの駆動をカートリッジのシャッター部に伝達する伝達機構２３ｃとを備えており、支持軸２３ａは伝達機構２３ｃに回転自在に軸支されている。かかる開閉機構は、ベース２３ｄに支持されており、フィルム引出し姿勢になったカートリッジ内のスプール軸の軸芯方向に進退可能に設けられている。
【００３６】
支持軸２３ａは、２４０フィルムのスプール軸の他端部と係合可能に構成されており、この支持部２３ａがカートリッジに向けて前進することで、スプール軸の他端部と係合するように構成されている。一方、支持部２３が、カートリッジから離間するように後退することで、スプール軸と出力軸との係合が解除されるようになっている。
【００３７】
フィルム搬送部２４は、上下に対向配置された下部本体３１と、上部本体３２とで構成されている。下部本体３１は、下面視略矩形状に形成されており、長手方向の一端側における一方の角部が、平面視略角形に切り欠かれ、装填部２０を配置する配置スペースを形成している。
【００３８】
図４（上部本体３２を開いた状態）、図５（図３におけるＡ−Ａ断面図）及び図６（図３におけるＢ−Ｂ断面図）に示すように、下部本体３１における上部本体３２と対向する面には、第１搬送経路Ｒ１を形成するための第１下溝４１と、第２搬送経路Ｒ２を形成するための第２下溝５０とが形成されている。第１下溝４１は、２４０フィルムの幅に対応した幅に設定されており、装填部２０の配置スペースの形成位置（カートリッジのシャッター部の配置位置）に対応するように、下部本体３１の長手方向の全長にわたって形成されている。この第１下溝４１の底面には、長手方向（フィルムの搬送方向）に所定間隔を有して複数の凹部４２が形成されており、この凹部４２には、回転駆動される駆動ローラ４３が内装されている。この駆動ローラ４３は、第１下溝４１の底面から一部を突出させるように設けられており、上部本体３２の従動ローラ６３と当接するように構成されている。
【００３９】
第１下溝４１の底面の所定位置には、溝幅方向（フィルム幅方向）に延びて上下方向に貫通したスリット状の第１下スリット開口部４４（処理用開口部に相当）が形成され、この第１下スリット開口部４４を介して写真フィルムに形成されたコマ画像の情報を読み取ることができる。このスリット開口部４４の搬送上流側には、上部本体３２に設けられた磁気ヘッド６５に対して２４０フィルムを押し付ける回転自在なヘッド用ローラ４５が埋設されている。さらに、第１下溝４１の上流側には、フィルム面をクリーニングするブラシ４６が埋設されている。
【００４０】
第２下溝５０は、１３５フィルムのフィルム幅に対応した幅に設定されており、フィルムの幅方向において第１下溝４１と並列状態となるように、下部本体３１の長手方向で全長にわたって形成されている。第２下溝５０にも同様に複数の凹部５１が形成され、この凹部５１に回転駆動される駆動ローラ５２が内装されている。駆動ローラ５２は、上部本体３２の従動ローラ７２と当接する。第２下溝５０の底面には、溝幅方向（フィルム幅方向）に延びて上下方向に貫通したスリット状の第２下スリット開口部５３が形成されている。この第２スリット開口部５３は、第１スリット開口部４４の延長線上に形成されている。
【００４１】
上部本体３２は、平面視矩形状に形成されており、長手方向が第１搬送経路Ｒ１の全長に対応した長さに設定され、短手方向が下部本体３１の短手方向の長さに対応した長さに設定されている。上部本体３２は、装填部２０をかわして下部本体３１に対向配置されており、短手方向の一端部が下部本体３１の短手方向の一端部に蝶着されている。これにより、上部本体３２は、下部本体３１に対して開閉可能となっており、上部本体３２と下部本体３１との対向面同士が密接する状態と離間する状態とに姿勢変更可能となっている。
【００４２】
上部本体３２における下部本体３１と対向する面には、第１下溝４１と共に第１搬送経路Ｒ１を形成するための第１上溝６１と、第２下溝５０と共に第２搬送経路Ｒ２を形成するための第２上溝７０とが形成されている。
【００４３】
第１上溝６１は、第１下溝４１と同様に、２４０フィルムの幅に対応した幅に設定されており、第１下溝４１の形成位置に対応して長手方向の全長にわたって形成されている。第１上溝６１の天面には、第１下溝４１の凹部４２の形成位置に対応して長手方向（２４０フィルムの搬送方向）に所定間隔を有して複数の凹部６２が形成されており、この凹部６２には、回転自在に従動ローラ６３が内装されている。従動ローラ６３は、第１上溝６１の天面から下方に向けて一部を突出させるように設けられており、下部本体３１の駆動ローラ４３と共に２４０フィルムを挟持できるようになっている。
【００４４】
第１上溝６１は、第１下溝４１の第１下スリット開口部４４の形成位置に対応して、溝幅方向に延びて上下方向に貫通したスリット状の第１上スリット開口部６４（処理用開口部に相当）が天面の所定位置に形成されている。第１上溝６１内には、第１上スリット開口部６４に隣接して、磁気ヘッド６５のヘッド面が第１下溝４１の底面に向けて配置されており、ヘッド用ローラ４５と当接するようになっている。また、下部本体３１のブラシ４６と対応するように、２４０フィルムの他方の面をクリーニングするブラシが埋設されている。
【００４５】
図６は、１３５フィルムの搬送経路の構成を示しており、図５と類似の搬送機構を備えている。第２下溝５０に対応して第２上溝７０が設けられており、１３５フィルムの幅に対応した幅寸法を有する。第２上溝７０の天面にも複数の凹部７１が形成され、従動ローラ７２が設けられる。従動ローラ７２と駆動ローラ５２により１３５フィルムを挟持搬送させる。また、第２下スリット開口部５３の形成位置に対応して、スリット状の第２上スリット開口部７３が形成されている。
【００４６】
上記説明してきた構成によるフィルム搬送部２４は、上部本体３２を下部本体３１に密接状態とすることで、第１下溝４１と第１上溝６１とが一体になり、第１搬送経路Ｒ１としての断面略矩形状の穴が長手方向の全長にわたって形成される。また、下部本体３１の駆動ローラ４３と上部本体３２の従動ローラ６３とが接触状態となると共に、磁気ヘッド６５とヘッド用ローラ４５が接触状態となり、第１搬送経路Ｒ１が形成される。
【００４７】
この状態において、第１搬送経路Ｒ１は、装填部２０に装填した２４０フィルムのカートリッジから引き出された２４０フィルムの搬送が可能になる。また、第１下スリット開口部４４と第１上スリット開口部６４が連通して、上下方向に透過可能な第１透過部が形成され２４０フィルムのコマ画像の読み取りが可能となる。
【００４８】
同様にフィルム搬送部２４は、第２下溝５０と第２上溝７０とが一体になり、第１搬送経路Ｒ１と並列に配置された第２搬送経路Ｒ２が形成される。第２搬送経路Ｒ２では、下部本体３１の駆動ローラ５２と上部本体３２の従動ローラ７２とが接触状態となる。また、第２下スリット開口部５３と第２上スリット開口部７３とが連通して、上下方向に透過可能な第２透過部が形成され、これを介して１３５フィルムのコマ画像が読み取り可能となる。
【００４９】
＜巻き取りユニットの構成＞
次に巻き取りユニット８０を説明する。巻き取りユニット８０は、図２、図４に示すように、第１搬送経路Ｒ１で搬送されてくる２４０フィルムを一時的に巻き取り収容する第１巻き取り部８１と、第２搬送経路Ｒ２で搬送されてくる１３５フィルムを一時的に巻き取り回収する第２巻き取り部８２と、これら第１・第２巻き取り部８１，８２をユニット化してフィルム搬送部２４に取り付けるフレーム部８３とで構成されている。
【００５０】
第１巻き取り部８１は、図７や図８に示すように、第１搬送経路Ｒ１から搬送されてくる２４０フィルムが挿入される挿入口であるスリット状の第１挿入口８１０と、この第１挿入口８１０と連通し、２４０フィルムを収容する収容空間部とを備えており、この収容空間部は、環状の内周面と、この内周面により形成されたフィルム幅方向における両端開口部を閉塞する一対の閉塞面とで包囲されて形成されている。
【００５１】
この第１巻き取り部８１について具体的に説明すると、この第１巻き取り部８１は、内周面を有する環状の胴部８１１と、この胴部８１１の一端開口を閉塞して一方の閉塞面を形成するプレート状の閉塞板８１２と、胴部８１１の他端開口を閉塞して他方の閉塞面を形成する扉体８１３とで構成されている。
【００５２】
前記胴部８１１は、中心軸方向（フィルム幅方向）に分割（二分割）された分割胴である環状の第１分割胴８１１ａと、この胴部８１１の他端開口を形成する分割胴である環状の第２分割胴８１１ｂとが連結されるように構成されている。そして、第１分割胴８１１ａは、閉塞板８１２と一体的に形成されており、胴部８１１の一端開口となる第１分割胴８１１ａの一端開口が閉塞板８１２によって閉塞された状態をなしている。
【００５３】
第１分割胴８１１ａと第２分割胴８１１ｂとが連結されて形成された胴部８１１の内周面は、上下方向で対向する凹状をなす一対の円弧面８１４ａ，８１４ｂと、これら円弧面８１４ａ，８１４ｂ同士を連続させる起立した（垂直姿勢の）一対の起立面８１５ａ，８１５ｂとで構成されており、略小判状の開口（内孔）を形成している（図５，図７参照）。
【００５４】
また、胴部８１１の内周面は、中心軸方向の幅が２４０フィルムの幅と同等、あるいはそれよりやや広く設定されており、中央部の全周に溝８１６が形成されている。これにより、胴部８１１の内周面は、他端開口部及び前記閉塞板８１２側の開口部（内周面の幅方向の両側部）の内径が中央部分よりも小さくなるように形成され、収容空間部に入り込んだ２４０フィルムの両端部（コマ画像が形成されない領域）が胴部８１１の内周面の両側部のみに摺接して移動するように構成されている。
【００５５】
前記第１挿入口８１０は、胴部８１１の周壁に形成されており、長さ（スリット長さ）が２４０フィルムの幅と対応するように、２４０フィルムの幅と略同等、あるいは、それよりやや長く設定されている。
【００５６】
第１挿入口８１０について具体的に説明すると、この第１挿入口８１０は、第１分割胴８１１ａ及び第２分割胴８１１ｂの夫々に形成された挿入口形成溝８１０ａ，８１０ｂがつながって形成されたものである。各挿入口形成溝８１０ａ，８１０ｂは、第１分割胴８１１ａ及び第２分割胴８１１ｂの連結面をかわして、各分割胴８１１ａ，８１１ｂの周壁上に位置して形成されている。これにより、第１挿入口８１０から挿入されてきた２４０フィルムの側端部が第１分割胴８１１ａ及び第２分割胴８１１ｂの間（連結面間）に挟まって挿入動作が阻害されるのを防止するようにしている。
【００５７】
上記構成の第１挿入口８１０は、収容空間部を形成する前記起立面８１５ａと直交方向でかつ上方側の円弧面８１４ａに対して接線方向の上下で対向する面を形成している。この第１挿入口８１０を形成する上下で対向した面のうち上方側の面は、上方側の円弧面８１４ａと連続状態（接線状態）をなしており、この第１挿入口８１０から挿入されてきた２４０フィルムの一方の面が胴部８１１の内周面で円滑に案内されるようになっている。
【００５８】
また、この胴部８１１の一端側（閉塞板８１２側）における上部外面には、第２巻き取り部８２の支持フレーム８４（図２参照）を載置可能な載置部８１７が形成されている。この載置部８１７は、支持フレーム８４の載置片８４ａに形成された位置決め孔８４ｂに挿入される位置決め用凸部８１８が形成されている。また、胴部８１１の上部外面には、載置部８１７に載置した支持フレーム８４が上方に向けて移動するのを規制する規制爪８１９が上方に向けて突設されている。
【００５９】
胴部８１１の一端開口を閉塞する閉塞板８１２の外面には、第１挿入口８１０を形成した周壁から外部に向けて突出するように連結部８２０が設けられている。この連結部８２０は、ネジ部材を介して巻き取りユニット８０をフィルム搬送部２４に着脱可能になっており、フィルム搬送部２４に連結した際に、第１搬送経路Ｒ１を搬送されてきた２４０フィルムが第１挿入口８１０に挿入可能な配置となっている。
【００６０】
扉体８１３は、前記収容空間部を閉塞及び開放可能なように胴部８１１に取り付けられている。具体的には、扉体８１３は、プレート状に形成されており、一端部が胴部８１１における第１挿入口８１０側の端縁部に蝶着されて胴部８１１の他端開口に対して開閉できるようになっている。これにより、扉体８１３を閉状態にした際に、一方の面で閉塞面を形成して収容空間部を閉塞させる一方、扉体８１３を開状態にした際に、収容空間部を開放して、この収容空間部内の状況を確認できるように構成している。
【００６１】
上記構成の第１巻き取り部８１は、上述のごとく、胴部８１１の内周面の幅が２４０フィルムのフィルム幅に対応して設定され、扉体８１３が閉状態を維持することができるので、収容空間部に挿入した２４０フィルムの一方の面が胴部８１１の内周面に案内されている時に、この２４０フィルムの一側端が扉体８１３の内側面（閉塞面）に案内され、２４０フィルムが大きく蛇行するのを防止している。
【００６２】
第２巻き取り部８２は、図６に示すように、１３５フィルムを巻き取るための巻き取り用ドラム８４０と、この巻き取り用ドラム８４０に圧着し、１３５フィルムを巻き取り用ドラム８４０に巻き取っていく方向に案内する複数の圧着ローラ８４１とを備えている。圧着ローラは不図示のバネにより、巻き取り用ドラム８４０の径方向内側に付勢されている。
【００６３】
＜収容空間部の構成＞
既に説明したように第１巻き取り部８１の収容空間部は、一対の円弧面８１４ａ，８１４ｂと、一対の起立面８１５ａ，８１５ｂとで形成されており、図５にも示すように縦長の長円形に形成されている。すなわち、 垂直方向の寸法Ｙの方が水平方向の寸法Ｘよりも長くなるように設定されている。寸法比率としては、例えば、Ｘ：Ｙ＝４０ｍｍ：６０ｍｍ（２：３）程度に設定することができる。２４０フィルムを収容空間部に収容する場合は、２４０フィルムの搬送力（フィルムのコシ）を利用して押し込んでいくように収容する。この場合、仮に収容空間部が図１０（ｂ）に示すように円形だと、フィルムは内周面に強く密着した状態で巻き取られていくので摺動性が悪い。従って、２４０フィルムを挿入していくときの負荷も大きくなり収容性が低下する。特に２４０フィルムの長さが長くなるほど、この問題が顕著に現われる。
【００６４】
一方、本発明の収容空間部は縦長の長円状に形成されているので、図１０（ａ）に示すように、挿入されてきた２４０フィルムは、内周面に沿って巻回し、自重により底部に垂れ下がる形になる。従って、スムーズに２４０フィルムを挿入させて行くことができる。また、巻取りが進行した状態でも、収容空間部の上部に常に空間Ｋが形成された状態となる。従って、２４０フィルムが内周面に密着してしまうことがないので、長さの長い２４０フィルムを挿入していく場合であっても、挿入のための負荷を抑制することができ、容易に挿入させることができる。円弧形状の場合は、図１０（ｂ）に示すように、そのような空間Ｋが形成されないので、収容性はよくない。
【００６５】
なお、本発明に係る収容空間部の形状は、フィルムの幅方向視（図１０に示す方向）で長円状であればよいので、本実施形態のように円弧面と起立面（垂直な直線）のみで構成されるものに限定されるものではない。円弧面は厳密な円弧形状でなくても良い。円弧に近い形状の曲面形状で構成しても良い。起立面もゆるやかな曲面により構成されるものでもよい。また、全体として縦長の楕円形状に形成してもよく、これも縦長の長円状に含まれる。
【００６６】
＜扉体の構成＞
次に、扉体８１３の開閉機構を詳細に説明する。図９に示すように、ネジリバネ８３０（付勢手段に相当）が設けられており、一方の作用部８３０ａは扉体８１３の外面側に接触し、他方の作用部８３０ｂは胴部８１１に接触している。ネジリバネ８３０は扉体８１３が胴部８１１に対して蝶着される軸部に取り付けらえており、扉体８１３は、この軸部周りに閉じ方向に付勢される。この扉体８１３の開閉機構として、扉体８１３に係合爪を設け、胴部８１１にこの係合爪と係合する係合部を形成して扉体８１３を胴部８１１にロックさせた状態で閉じるような構成も考えられる。
【００６７】
しかしながら、このような構成だと、扉体８１３を開いた後に閉め忘れてしまうことがありうる。扉体８１３を開くのはメンテナンス等のためであるが、扉体８１３を閉め忘れてしまうと、その後収容空間部内に挿入されてきた２４０フィルムが扉体８１３の開いた開口部からはみ出てしまい、２４０フィルムのジャミングや破損につながるおそれがある。そこで、上記のように扉体８１３を閉じる方向に付勢するネジリバネ８３０を設けることで、扉体８１３の閉め忘れをなくすことができる。なお、付勢手段としてはネジリバネではなく、その他の種類のバネにより構成しても良い。また、バネ以外の機構を採用しても良い。
【００６８】
＜塵埃排出孔の構成＞
次に、収容空間部に形成される塵埃排出孔８３２を説明する。図７および図１１に示すように収容空間部の底部には塵埃排出孔８３２が形成されている。収容空間部内に搬送されてくる２４０フィルムには、その表面に埃や塵が付着していることがあり、２４０フィルムの挿入に伴い塵埃も収容空間部に持ち込まれてくる。この塵埃の量が増えてくると、２４０フィルムの表面と内周面との間に塵埃が挟まった状態で両者がこすれてしまい、フィルム表面に傷をつけてしまう可能性がある。そこで、図１１に示すように収容空間部の底部に塵埃排出孔８３２を設けた。底部に設けているので、収容空間部内に入り込んできた塵埃は、自然に収容空間部の外部に排出される。これにより、収容空間部内に塵埃が蓄積されることがない。
【００６９】
また、塵埃排出孔８３２は、溝８１６に形成されており、フィルム幅方向の寸法Ｌ１，Ｌ２は、いずれも２４０フィルムのフィルム幅寸法よりも短くなっている。また、塵埃排出孔８３２はすり鉢状に形成されており、傾斜面８３２ａが形成されている。この傾斜面８３２ａにより、塵埃が底部から落下し易くなっている。この傾斜面８３２ａにより、幅方向の寸法もＬ１＜Ｌ２となっている。
【００７０】
＜別実施形態＞
フィルム搬送ユニットは、ＡＰＳフィルムのみを搬送させるためのユニットでもよい。また、１３５タイプの写真フィルムについてもＡＰＳフィルムと同様の巻き取り部の構成にしても良い。
【００７１】
フィルム搬送ユニットは、現像済み写真フィルムに形成されたコマ画像を写真感光材料（ペーパー）に焼付露光するために用いる場合でも本発明は応用できるものである。
【図面の簡単な説明】
【００７２】
【図１】フィルム搬送ユニットが用いられる写真処理システムの構成を示す模式図
【図２】フィルム搬送ユニットの構成を示す外観斜視図
【図３】フィルム搬送ユニットの構成を示す外観平面図
【図４】上部本体を開いた状態のフィルム搬送ユニットの構成を示す外観斜視図
【図５】ＡＰＳフィルム（２４０フィルム）の搬送経路の構成を示す縦断面図
【図６】１３５フィルム搬送経路の構成を示す縦断面図
【図７】フィルム巻き取り部の構成を示す斜視図（扉体を開いた状態）
【図８】フィルム巻き取り部の構成を示す斜視図
【図９】フィルム巻き取り部の構成を示す斜視図（扉体を閉じた状態）
【図１０】収容空間部の構成を示す図
【図１１】塵埃排出孔の構成を示す図
【符号の説明】
【００７３】
１          画像読取装置
４          フィルムキャリア（フィルム搬送ユニット）
４４        第１下スリット開口部
４６        第１上スリット開口部
８１        第１巻き取り部
８２        第２巻き取り部
８１２      閉塞板
８１３      扉体
８３０      ネジリバネ
８３２      塵埃排出孔
８３２ａ    傾斜面
【図１】
2005221971.tif 000003
【図２】
2005221971.tif 000004
【図３】
2005221971.tif 000005
【図４】
2005221971.tif 000006
【図５】
2005221971.tif 000007
【図６】
2005221971.tif 000008
【図７】
2005221971.tif 000009
【図８】
2005221971.tif 000010
【図９】
2005221971.tif 000011
【図１０】
2005221971.tif 000012
【図１１】
2005221971.tif 000013